(57)【要約】【課題】野球場での使用に適した性質を有するグランド用混合土を得る。【解決手段】黒土性表土と砂を混合してグランド用混合土を作成する方法において、前記黒土性表土と砂の割合を黒土性表土６に対して砂３．８〜４．２とし、前記砂は、２．０〜３．０ｍｍの粗目の川砂から成り、前記黒土性表土と川砂との混合は、平坦地面に黒土性表土を６ｃｍの高さになるよう均し黒土性表土層２を作成し、黒土性表土層２上に川砂を３．８〜４．２ｃｍの高さになるように均した砂層３を作成した後、前記砂層３上を深耕ロータリ１１が移動することで、耕うん爪１３の回転で攪拌し、保水性の確保と風に舞いにくい性質を有するグランド用混合土を得る。【選択図】図１
2012021387.tif 000002
【特許請求の範囲】
【請求項１】
黒土性表土と砂を混合してグランド用混合土を作成するグランド用混合土の作成方法において、
前記砂は、２．０〜３．０ｍｍの粗目砂を使用し、
前記黒土性表土と砂との混合は、黒土性表土層の上に砂層を作成した後に、深耕ロータリの耕うん爪で攪拌する
ことを特徴とするグランド用混合土の作成方法。
【請求項２】
平面に黒土性表土を６ｃｍの高さになるよう均して黒土性表土層を作成する黒土性表土層作成工程と、
黒土性表土層上に砂を３．８〜４．２ｃｍの高さになるように均して砂層を作成する砂層作成工程と、
前記砂層上を深耕ロータリが移動し、耕うん爪の回転により前記黒土性表土と砂とを攪拌する攪拌工程を備えた請求項１に記載のグランド用混合土の作成方法。
【請求項３】
請求項２に記載したグランド用混合土作成方法で作成したグランド用混合土。
【発明の詳細な説明】
【技術分野】
【０００１】
本発明は、野球場等のグランドに適したグランド用混合土を作成する方法に関し、特に、黒土性表土と砂とを混合させて混合土を作成する場合に、埃になりにくく排水性が高い等、良質な性質を有するグランド用混合土を得ることができるグランド用混合土の作成方法に関する。
【背景技術】
【０００２】
従来、野球場の内野部分に使用されるグランド用混合土には赤土性表土や火山灰性土が使用されていた。しかし、埃がたつ、水の浸透性が悪い、土が硬くなるなどの問題があり、野球場の内野部分の使用に適したグランド混合土の開発が望まれていた。
【０００３】
そこで、特許文献１に示されるように、土砂投入ホッパや土砂粉砕装置などから構成される混合土の製造装置を用いることで、黒度性表土、赤土性表土、火山灰性土、粘土性土、砂を混合した原料土を処理してグランド用混合土を得る方法が提案されている。
【先行技術文献】
【特許文献】
【０００４】
【特許文献１】特許第３７０３３９９号
【発明の概要】
【発明が解決しようとする課題】
【０００５】
しかしながら、上述した特許文献１の方法で得られた混合土は、野球場の内野部分の使用に適したグランド混合土の性質（埃がたたない、水の浸透性が良い、土が硬くならない等）を十分に満足するものではなかった。
また、上述した特許文献１の方法によれば、混合土を得るために土砂投入ホッパや土砂粉砕装置が必要となるので、これらの装置が現場にないような場合には、グランド用混合土を得ることができないという問題点があった。
また、土砂投入ホッパや土砂粉砕装置等を使用して順次混合土を得るので、一度に大量のグランド用混合土を得ることができないという問題点があった。
【０００６】
本発明は上記実情に鑑みて提案されたもので、専用の機械を使用することなく、野球場に適した性質を有するグランド用混合土を得ることを目的としている。
【課題を解決するための手段】
【０００７】
本発明者は、グランド用混合土について鋭意研究した結果、グランド用混合土における砂の割合、砂の大きさ、及び、土と砂の混合状態がグランド混合土における水の浸透性や埃の発生のしにくさ等、グランド用混合土の性質に大きく依存することを見出し、本発明を完成するに至った。
【０００８】
すなわち、請求項１の発明は、黒土性表土と砂を混合してグランド用混合土を作成するグランド用混合土の作成方法において、
前記砂は、２．０〜３．０ｍｍの粗目砂を使用し、
前記黒土性表土と砂との混合は、黒土性表土層の上に砂層を作成した後に、深耕ロータリの耕うん爪で攪拌する
ことを特徴としている。
【０００９】
請求項２の発明は、請求項１のグランド混合土の作成方法において、
平面に黒土性表土を６ｃｍの高さになるよう均して黒土性表土層を作成する黒土性表土層作成工程と、
黒土性表土層上に砂を３．８〜４．２ｃｍの高さになるように均して砂層を作成する砂層作成工程と、
前記砂層上を深耕ロータリが移動し、耕うん爪の回転により前記黒土性表土と砂とを攪拌する攪拌工程を備えることを特徴としている。
【００１０】
請求項３の発明は、請求項２に記載した作成方法でグランド混合土を作成することを特徴としている。
【発明の効果】
【００１１】
本発明によれば、黒土性表土と砂の割合を黒土性表土６に対して砂３．８〜４．２とし、２．０〜３．０ｍｍの粗目の川砂（白砂）を使用したグランド用混合土とすることにより、水はけの良い良質なグランド用混合土とすることができる。
【００１２】
また、黒土性表土と砂との混合に際して、深耕ロータリの耕うん爪による攪拌を行うことで、黒土性表土に対して粗目砂を均一となるように混ぜることができ、風に舞うことが少なくなって埃の発生を抑制することができる。
【００１３】
また、黒土性表土と砂との混合は、黒土性表土層上に砂層を形成した後に耕うん爪による攪拌を行うことで、特別な機械を使用することなく、簡単かつ一度に大量にグランド用混合土を得ることができる。
【図面の簡単な説明】
【００１４】
【図１】本発明のグランド用混合土の作成手順を示すものであり、黒土性表土層上に砂層を形成した後に耕うん爪による攪拌を行う作業例を示す説明図である。
【図２】黒土性表土と川砂との混合時に使用する耕うん爪の正面説明図である。
【発明を実施するための形態】
【００１５】
本発明に係るグランド用混合土の作成方法の実施形態の一例について、図面を参照しながら説明する。
本発明方法によるグランド用混合土は、黒土性表土と砂と、黒土性表土に対する砂の割合を６：４にして混合することで作成される。黒土性表土は、塊がなく、比較的柔らかなものを使用するのが好ましい。砂は、各粒の最大幅が２．０〜３．０ｍｍ程度の粗目の川砂を使用する。粗目の川砂を使用することで、黒土性表土と混合した際に、粗目砂同士の間に水が浸透する土部分が確実に形成されることで、浸透性を良好にすることができる。
また、浸透性を確保するための黒土性表土に対する砂の割合は、６：３．８〜４．２程度であってもよい。
【００１６】
黒土性表土と川砂との混合は、図１及び図２に示した深耕ロータリの耕うん爪による攪拌で行う。
すなわち、２００〜３００坪ほどの畑や空き地の隅の一か所に、それぞれ山状となるように、黒土性表土と川砂（白砂）をトラック等で運搬する。
次に、平面地面１上に、山状となっている黒土性表土の表面を６ｃｍの高さになるよう重機で均して方形状の黒土性表土層２を作成する（黒土性表土層作成工程）。
続いて、黒土性表土層２上に重機で川砂（白砂）を４ｃｍの高さになるように均して方形状の砂層３を作成する（砂層作成工程）。
【００１７】
そして、砂層２上を耕うん機１０が図１の左方向に進行する場合、深耕ロータリ１１を耕うん機１０の進行方向と逆方向側に回転させながら移動することで、耕うん爪１３の回転により黒土性表土と川砂とを攪拌する（攪拌工程）。
【００１８】
深耕ロータリ１１は、図１及び図２に示すように、軸１２に対して耕うん爪１３が四方向に突出することで形成される回転爪１４を有している（図２では、上方に突出する耕うん爪１３を省略している）。回転爪１４の各耕うん爪１３は、先端を直角に折曲させた爪部１５を有している。回転爪１４は、軸１２に対して一定間隔毎に複数個形成されている。また、耕うん爪１３は、黒土性表土層２の下端層まで届くような長さ、例えば１２〜１６ｃｍに設定され、爪部１５は７〜１０ｃｍに形成されている。
耕うん機１０が方形状の砂層３上をまんべんなく動くことで、軸１２の回転動作により、複数の回転爪１４の各爪部１５が黒土性表土と川砂とを６：４の割合で十分に攪拌し、グランド用混合土が得られる。
また、黒土性表土層２の上に、黒土性表土層２より薄層となる砂層３を作成した後に、深耕ロータリの耕うん爪１３で攪拌することで、黒土性表土層２と砂層３との攪拌を促進し、両者の混合を効率よく行うことができる。
【００１９】
このようにして得られたグランド用混合土によれば、野球場の内野部分に搬入してローラで固めた場合、グランド用混合土に適度に粗目の川砂が存在することで、ローラの転圧により平にし易い性質を持たせることができる。
【００２０】
そして、グランド用混合土内に程度な割合で粗目の川砂が存在することで、グランド用混合土内の粗目川砂同士の間に水が浸透する土部分を確保して浸透性の向上を図ることができる。また同時に、グランド用混合土内に程度な割合で粗目の川砂が存在することで毛細管現象の確保が可能となり、従来のグランド土に比較して保水性の維持の向上を図ることで、乾きにくい性質を備えることができる。
【００２１】
更に、グランド用混合土内に程度な割合で粗目の川砂が存在することで、粗目川砂が重しの役割を発揮し、風に舞いにくくして埃の発生を少なくすることができる。
【００２２】
その結果、保水性の確保と風に舞いにくい性質から、従来のグランド土に比較して埃発生防止のための水撒きの回数を減らすことができる。
【００２３】
以上説明したように、本発明によるグランド用混合土によれば、（１）浸透性を有する、（２）平坦化させ易い、（３）埃の発生が少ない、といった全てを満足するので、野球場のグランドに最適なグランド用混合土とすることができる。
【符号の説明】
【００２４】
１…平坦地面、
２…黒土性表土層、
３…砂層、
１０…耕うん機、
１１…深耕ロータリ、
１２…軸、
１３…耕うん爪、
１４…回転爪、
１５…爪部。
【図１】
2012021387.tif 000003
【図２】
2012021387.tif 000004